【手続補正書】
【提出日】平成20年8月6日(2008.8.6)
【手続補正１】
【補正対象書類名】明細書
【補正対象項目名】特許請求の範囲
【補正方法】変更
【補正の内容】
【特許請求の範囲】
【請求項１】  画像データからＷｅｂデータを生成する機能を有し該Ｗｅｂデータを表示する表示手段と該Ｗｅｂデータを外部に送信するＷｅｂデータ送信手段とを有するデータ処理端末と、
上記Ｗｅｂデータを保存するデータ保存手段と上記Ｗｅｂデータに対して外部から該Ｗｅｂデータを参照するための宛先アドレスを付するアドレス情報付加手段とを有する情報供給装置と、
上記宛先アドレスが付加されたＷｅｂデータを取得するデータ取得手段と上記Ｗｅｂデータを表示する表示手段とを有する携帯型無線通信端末とを備え、
上記データ処理端末から上記携帯型通信端末へＷｅｂデータを配信する情報配信システムであって、
上記Ｗｅｂデータを標準形式の標準Ｗｅｂデータに変換し、上記標準Ｗｅｂデータを、配信先である他の通信端末装置が処理可能なデータ形式に変換して配信する情報配信システム。
【請求項２】  上記Ｗｅｂデータは、画像データと文章データとを有するデータであり、
上記情報供給装置は、
上記配信先の他の携帯型無線通信端末で使用する画像データの種類を判別する画像データ判別手段と、
上記画像データ判別手段の判別結果に応じて上記標準Ｗｅｂデータに含まれる画像データに対して画像処理を施す画像処理手段と、
上記配信先の他の携帯型無線通信端末で使用するＷｅｂデータの記述言語を判別する記述言語判別手段と、
上記記述言語判別手段の判別結果に応じたＷｅｂデータとして出力するデータ出力手段と
を備える請求項１記載の情報配信システム。
【請求項３】  上記標準Ｗｅｂデータに含まれる画像データは、画像劣化が最小となる画像データファイル形式を有する請求項１記載の情報配信システム。
【請求項４】  上記画像データファイル形式は、ＧＩＦ（Graphics Interchange Format）形式である請求項３記載の情報配信システム。
【請求項５】  上記データ出力手段は、上記記述言語判別手段の判別結果に応じて、ＨＴＭＬ（Hyper Text Markup Language）形式又はＨＤＭＬ（Handheld Device Markup Language）形式のデータとして出力する請求項２記載の情報配信システム。
【請求項６】  上記宛先アドレスは、ＵＲＬ（Uniform Resource Locator）である請求項１記載の情報配信システム。
【請求項７】  上記画像データ処理端末は、記録媒体及び／又は半導体記憶装置に記憶された画像データを読み取る読取手段を備える請求項１記載の情報配信システム。
【請求項８】  画像データからＷｅｂデータを生成する機能を有し該Ｗｅｂデータを表示する表示工程と該Ｗｅｂデータを外部に送信するＷｅｂデータ送信工程とを含むデータ処理工程と、
上記Ｗｅｂデータを保存するデータ保存工程と上記Ｗｅｂデータに対して外部から該Ｗｅｂデータを参照するための宛先アドレスを付するアドレス情報付加工程とを含む情報供給工程と、
上記宛先アドレスが付加されたＷｅｂデータを取得するデータ取得工程と上記Ｗｅｂデータを表示する表示工程とを含む情報処理工程と
を有する情報配信方法であって、
上記Ｗｅｂデータを標準形式の標準Ｗｅｂデータに変換し、上記標準Ｗｅｂデータを、配信先である他の通信端末装置が処理可能なデータ形式に変換して配信する情報配信方法。
【請求項９】  上記Ｗｅｂデータは、画像データと文章データとを有するデータであり、
上記情報供給工程は、
上記配信先の他の携帯型無線通信端末で使用する画像データの種類を判別する画像データ判別工程と、
上記画像データ判別工程の判別結果に応じて上記標準Ｗｅｂデータに含まれる画像データに対して画像処理を施す画像処理工程と、
上記配信先の携帯型無線通信端末で使用するＷｅｂデータの記述言語を判別する記述言語判別工程と、
上記記述言語判別工程の判別結果に応じたＷｅｂデータとして出力するデータ出力工程と
を含む請求項８記載の情報配信方法。
【請求項１０】  上記標準Ｗｅｂデータに含まれる画像データは、画像劣化が最小となる画像データファイル形式を有する請求項８記載の情報配信方法。
【請求項１１】  上記画像データファイル形式は、ＧＩＦ（Graphics Interchange Format）形式である請求項１０記載の情報配信方法。
【請求項１２】  上記データ出力手段は、上記記述言語判別手段の判別結果に応じて、ＨＴＭＬ（Hyper Text Markup Language）形式又はＨＤＭＬ（Handheld Device Markup Language）形式のデータとして出力する請求項８記載の情報配信方法。
【請求項１３】  上記宛先アドレスは、ＵＲＬ（Uniform Resource Locator）である請求項８記載の情報配信方法。
【請求項１４】  画像データと文章データとを有するＷｅｂデータを保存するデータ保存手段と上記Ｗｅｂデータに対して外部から該Ｗｅｂデータを参照するための宛先アドレスを付するアドレス情報付加手段とを有する情報供給装置であって、
配信先の携帯型無線通信端末で使用する画像データの種類を判別する画像データ判別手段と、
上記画像データ判別手段の判別結果に応じて上記標準Ｗｅｂデータに含まれる画像データに対して画像処理を施す画像処理手段と、
上記配信先の携帯型無線通信端末で使用するＷｅｂデータの記述言語を判別する記述言語判別手段と、
上記記述言語判別手段の判別結果に応じたＷｅｂデータとして出力するデータ出力手段と
を備える情報供給装置。
【請求項１５】  上記標準Ｗｅｂデータに含まれる画像データは、画像劣化が最小となる画像データファイル形式を有する請求項１４記載の情報供給装置。
【請求項１６】  上記画像データファイル形式は、ＧＩＦ（Graphics Interchange Format）形式である請求項１５記載の情報供給装置。
【請求項１７】  上記データ出力手段は、上記記述言語判別手段の判別結果に応じて、ＨＴＭＬ（Hyper Text Markup Language）形式又はＨＤＭＬ（Handheld Device Markup Language）形式のデータとして出力する請求項１４記載の情報供給装置。
【請求項１８】  上記宛先アドレスは、ＵＲＬ（Uniform Resource Locator）である請求項１４載の情報供給装置。
【請求項１９】  画像データと文章データとを有するＷｅｂデータを保存するデータ保存工程と上記Ｗｅｂデータに対して外部から該Ｗｅｂデータを参照するための宛先アドレスを付するアドレス情報付加工程とを有する情報供給方法であって、
配信先の携帯型無線通信端末で使用する画像データの種類を判別する画像データ判別工程と、
上記画像データ判別工程における判別結果に応じて上記標準Ｗｅｂデータに含まれる画像データに対して画像処理を施す画像処理工程と、
上記配信先の携帯型無線通信端末で使用するＷｅｂデータの記述言語を判別する記述言語判別工程と、
上記記述言語判別工程における判別結果に応じたＷｅｂデータとして出力するデータ出力工程と
を有する情報供給方法。
【請求項２０】  上記標準Ｗｅｂデータに含まれる画像データは、複数ある通信会社のうち多数派の携帯型無線通信端末で採用している画像データの規格に基づく請求項１９記載の情報供給方法。